(57)【要約】【課題】筒体の回転嵌合構造に関し、回転感触が良好で、成形後の樹脂収縮による寸法変化に対する成形金型の修正が行いやすいものを提供することを目的とする。【解決手段】操作体１６の筒状の操作部１６Ｂとケース１１の筒部１１Ｂとを僅かに隙間を設けて対向させると共に、操作体１６の操作部１６Ｂの内周円周面上方位置に、第一肉盛り部１６Ｄを六箇所に均等角度位置で配置し、また上記ケース１１の筒部１１Ｂの外周円周面下方位置に、第二肉盛り部１１Ｃを六箇所に均等角度位置で配置した構成とし、操作部１６Ｂの回転時に、第一肉盛り部１６Ｄと第二肉盛り部１１Ｃが、対向する他方の円筒状の嵌合面と各々摺接するようにした。【選択図】図１
2005093583.tif 000002
【特許請求の範囲】
【請求項１】
内側に位置する絶縁樹脂製の第一筒体と、その外側に同心に位置する絶縁樹脂製の第二筒体とが相対的に回転可能に嵌合する構造であって、それら第一筒体、第二筒体間の対向する円筒状の嵌合部分において、上記第一筒体または第二筒体のいずれか一方に肉盛り部を三箇所以上、略同一円周上の等角度位置で設け、それらの肉盛り部が、対向する他方の円筒状の嵌合面と摺接する筒体間の回転嵌合構造。
【請求項２】
第一筒体の外周円周面に、第一肉盛り部を三箇所以上等角度位置で設けると共に、それとは軸線方向で上下に位置をずらせた第二筒体の内周円周面の位置に第二肉盛り部を三箇所以上等角度位置で設け、上記各肉盛り部が他方の円筒状の嵌合面に摺接する請求項１記載の筒体間の回転嵌合構造。
【請求項３】
肉盛り部は、他方の円筒状の嵌合面に対し、点接触状態もしくは軸線方向と平行関係な直線での線接触状態で摺接するよう構成された請求項１記載の筒体間の回転嵌合構造。
【請求項４】
第一筒体の外周円周面もしくは第二筒体の内周円周面のいずれか一方に、軸線方向で上下に位置をずらせて、第一および第二肉盛り部を各々三箇所以上等角度位置で設け、上記各肉盛り部が他方の円筒状の嵌合面に摺接する請求項１記載の筒体間の回転嵌合構造。
【請求項５】
第一および第二肉盛り部が配された筒体の上面視で、上記第一および第二肉盛り部が重ならない角度位置に各々配設してある請求項４記載の筒体間の回転嵌合構造。
【発明の詳細な説明】
【技術分野】
【０００１】
本発明は、各種電子機器の回転式操作部等に用いられる絶縁樹脂製の筒体間の回転嵌合構造に関するものである。
【背景技術】
【０００２】
近年、機器に搭載されて各種制御を担う回転型可変抵抗器として、外形が円環状のものが使用され、その回転型可変抵抗器を機器の配線基板に実装すると共に、円環状の空間部にスイッチやその他の電子部品を実装して機器の多機能化と操作部の集中化を図ることが増えてきている。
【０００３】
そして、そのような円環状の回転型可変抵抗器は、絶縁樹脂製の筒状部材どうしが相対的に回転可能に嵌合する構造で構成されている。
【０００４】
このような筒体間の回転嵌合構造を備えた従来の回転型可変抵抗器について、図６〜図７を用いて説明する。
【０００５】
図６は従来の回転型可変抵抗器の外観図、図７は同断面図である。
【０００６】
同図において、１は中央部に上面視略円形の中央孔１Ａを有する外形が略円環状の絶縁樹脂からなるケースであり、その円環状部分は上方開口の凹部形状をなしていると共に、上記中央孔１Ａの周囲を囲む壁は上方へ突出した円筒状の第一筒体としての筒部１Ｂに形成されており、上記凹部内には、円環状の抵抗体２が収納保持されている。
【０００７】
そして、このケース１の凹部内に保持された抵抗体２の上面には、抵抗皮膜と導電部（共に図示せず）が配され、それら抵抗皮膜と導電部の端部には、外方の電気回路に接続するための端子５が各々固着されている。
【０００８】
そして、６は、中央孔６Ａ外方上部が円筒状の第二筒体としての操作部６Ｂとなり、その下方にフランジ部６Ｃを備えた絶縁樹脂製の操作体である。
【０００９】
この操作体６は、上記ケース１の筒部１Ｂに対し、中央孔６Ａを挿通させて相対的に回転可能に組み合わされ、そのフランジ部６Ｃは、ケース１の円環状の凹部内に収容されている。
【００１０】
つまり、上記操作部６Ｂの内周円周面は、上記ケース１の筒部１Ｂの外周円周面に回転可能に嵌合された状態となっている。
【００１１】
そして、上記操作体６のフランジ部６Ｃ下面には、上記抵抗体２の抵抗皮膜と導電部上を摺接する摺動子７が配されている。
【００１２】
そして、上記のように抵抗体２と操作体６のフランジ部６Ｃなどが内包されたケース１の凹部上は、カバー８で覆われている。
【００１３】
このカバー８も円形の中央孔８Ａを有し、ケース１の筒部１Ｂと操作体６の操作部６Ｂは、中央孔８Ａから上方に突出している。
【００１４】
従来の回転型可変抵抗器は以上のように構成され、次に、その動作について説明する。
【００１５】
操作体６の操作部６Ｂを回転操作すると、操作体６はケース１の筒部１Ｂに対し相対的に回転移動し、その回転移動に伴いフランジ部６Ｃ下面の摺動子７が抵抗体２の抵抗皮膜と導電部上を弾接しつつ摺動し、操作位置に応じた抵抗値が端子５から得られるものであった。
【００１６】
なお、この出願の発明に関連する先行技術文献情報としては、例えば、特許文献１が知られている。
【特許文献１】実開昭６３−９１８１１号公報
【発明の開示】
【発明が解決しようとする課題】
【００１７】
しかしながら上記従来の回転型可変抵抗器を用いて説明した操作体６の円筒状の操作部６Ｂとケース１の円筒状の筒部１Ｂとからなる従来の筒体の回転嵌合構造においては、操作体６およびケース１共に絶縁樹脂の成形によって製作されていたため、成形後の樹脂収縮によりケース１の筒部１Ｂおよび操作体６の操作部６Ｂ共に、その嵌合部分に寸法変化が生じて円筒形状がいびつになりやすく、回転操作時の回転ムラが発生しやすい。
【００１８】
また、その寸法変化に応じて成形金型の微修正を行うにも、ケース１と操作体６とを円周面どうしで嵌合させてある構成であったため、成形金型の修正部分も、円周形状となされた箇所を僅かに修正することとなり、その金型修正が非常に難しいという課題があった。
【００１９】
本発明は、このような従来の課題を解決するものであり、円筒形状の部材どうしの間で回転可能に嵌合する構造について、回転ムラなどが感じられ難く回転感触の良好なものとすることができる上、成形後の樹脂収縮により嵌合部分に発生する寸法変化に対する成形金型の修正が行いやすい筒体の回転嵌合構造を提供することを目的とする。
【課題を解決するための手段】
【００２０】
上記目的を達成するために本発明は、以下の構成を有するものである。
【００２１】
本発明の請求項１に記載の発明は、内側に位置する絶縁樹脂製の第一筒体と、その外側に同心に位置する絶縁樹脂製の第二筒体とが相対的に回転可能に嵌合する構造であって、それら第一筒体、第二筒体間の対向する円筒状の嵌合部分において、上記第一筒体または第二筒体のいずれか一方に肉盛り部を三箇所以上、略同一円周上の等角度位置で設け、それらの肉盛り部が、対向する他方の円筒状の嵌合面と摺接する筒体間の回転嵌合構造としたものであり、肉盛り部が対向する嵌合面と摺接しつつ筒体間で相対回転する構造であるため、嵌合面全面で摺接する場合に比べて回転ムラやガタツキなどを感じ難く回転感触の良好なものが得られる上、第一筒体および第二筒体の樹脂成形後の収縮により嵌合部分に発生した寸法変化に対し、肉盛り部に応じた金型部分のみを調整するだけで済むので、成形金型の修正も行いやすくなるという作用を有する。
【００２２】
請求項２に記載の発明は、請求項１記載の発明において、第一筒体の外周円周面に、第一肉盛り部を三箇所以上等角度位置で設けると共に、それとは軸線方向で上下に位置をずらせた第二筒体の内周円周面の位置に第二肉盛り部を三箇所以上等角度位置で設け、上記各肉盛り部が他方の円筒状の嵌合面に摺接するものであり、軸線方向に離れた位置で筒体どうしが回転可能に嵌合支持された構成であるため、回転ムラなどがさらに低減されたものにできるという作用を有する。
【００２３】
請求項３に記載の発明は、請求項１記載の発明において、肉盛り部は、他方の円筒状の嵌合面に対し、点接触状態もしくは軸線方向と平行関係な直線での線接触状態で摺接するように構成されたものであり、肉盛り部を、点もしくは回転方向に対し直交する線分で嵌合面と摺接させる構造とすると、回転時における当該摺接部分からの影響度合いが低減でき、安定した回転状態のものが容易に得られるという作用を有する。
【００２４】
請求項４に記載の発明は、請求項１記載の発明において、第一筒体の外周円周面もしくは第二筒体の内周円周面のいずれか一方に、軸線方向で上下に位置をずらせて、第一および第二肉盛り部を各々三箇所以上等角度位置で設け、上記各肉盛り部が他方の円筒状の嵌合面に摺接するものであり、軸線方向に離れた位置で筒体どうしが回転可能に嵌合支持される構成であるため、回転ムラなどが少なく、かつ第一筒体および第二筒体の樹脂成形後の収縮により嵌合部分に発生した寸法変化に対しても、肉盛り部を配した方の筒体の成形金型のみを修正すれば良いのでメンテナンスも行い易くなるという作用を有する。
【００２５】
請求項５に記載の発明は、請求項４記載の発明において、第一および第二肉盛り部が配された筒体の上面視で、上記第一および第二肉盛り部が重ならない角度位置に各々配設してあるものであり、肉盛り部を上記配置状態とした筒体は、当該筒体における上下方向で二分割された構造の成形金型で形成できるため、金型構造が簡素なもので済むという作用を有する。
【発明の効果】
【００２６】
以上のように本発明によれば、円筒形状の筒体どうしの間で相対的に回転可能に嵌合する構造について、回転ムラなどを感じ難い回転感触の良好なものが得られる上、上記筒体成形後の樹脂収縮により発生しやすい嵌合部分への寸法変化に対する成形金型の修正なども行いやすい筒体の回転嵌合構造が実現できるという有利な効果が得られる。
【発明を実施するための最良の形態】
【００２７】
以下、本発明の実施の形態について、図１〜図５を用いて説明する。
【００２８】
（実施の形態１）
実施の形態１を用いて、本発明の特に請求項１〜３記載の発明について説明する。
【００２９】
図１は本発明の第１の実施の形態による筒体間の回転嵌合構造を備えた回転型可変抵抗器の断面図、図２は同分解斜視図であり、同図において、１１は、上面視円形の中央孔１１Ａを有した略円環状の絶縁樹脂製のケースで、その円環状部に設けられた凹部内に、抵抗皮膜１３と導電部１４を上面に備え、それらの端部に端子１５が固着された抵抗体１２が収納保持されている。
【００３０】
また、このケース１１の中央孔１１Ａを囲む壁は、上方に円筒状に突出形成され、第一筒体となる筒部１１Ｂが構成されている。
【００３１】
一方、１６は、円形の中央孔１６Ａを有し、上方が円筒状の第二筒体としての操作部１６Ｂとなり、その下方にフランジ部１６Ｃを備える操作体である。
【００３２】
この操作体１６は、ケース１１の筒部１１Ｂに対し相対的に回転可能なように、中央孔１６Ａ内に上記筒部１１Ｂを挿通させて配されている。
【００３３】
また、上記組み合わせ状態で、操作体１６のフランジ部１６Ｃはケース１１の凹部内に位置しており、そのフランジ部１６Ｃ下面に配されている摺動子１７は、上記抵抗体１２の抵抗皮膜１３と導電部１４上に弾接している。
【００３４】
なお、図１については、抵抗皮膜１３と導電部１４の図示を省略している。
【００３５】
そして、ケース１１の凹部上は、カバー１８で覆われ、このカバー１８の中央孔１８Ａから、同心に配された上記筒部１１Ｂと上記操作部１６Ｂは上方へ突出している。
【００３６】
以上の構成部分は、従来のものと同じであるが、本実施の形態による筒体間の回転嵌合構造を備えた回転型可変抵抗器は、上記操作体１６の操作部１６Ｂの内周円周面と上記ケース１１の筒部１１Ｂの外周円周面との嵌合部分の構成が従来のものとは異なっている。
【００３７】
つまり、図３の嵌合部分の部分断面図にも示すように、上記操作体１６の操作部１６Ｂの内周円周面と上記ケース１１の筒部１１Ｂの外周円周面とが、全面で嵌合しないよう両者間には所定の隙間が設けられている。
【００３８】
そして、操作体１６には、操作部１６Ｂの内周円周面の略同一円周上となる上方位置に、等角度間隔で配された六つの第一肉盛り部１６Ｄを備え、この内周外周面から突出している第一肉盛り部１６Ｄが、対向する筒部１１Ｂの外周円周面に摺接支持する構成となっている。
【００３９】
なお、上記六つの第一肉盛り部１６Ｄは、ケース１１の筒部１１Ｂの外周円が内接する正１２角形またはその２Ｎ倍（Ｎは整数）の多角形の一辺に対応するよう面状に摺接面が構成されている。
【００４０】
一方、ケース１１の筒部１１Ｂの外周円周面の略同一円周上となる下方位置にも、等角度間隔で配された六つの第二肉盛り部１１Ｃが配され、この外周円周面から突出している第二肉盛り部１１Ｃが、対向する操作部１６Ｂの内周円周面に摺接支持する構成となっている。
【００４１】
この各第二肉盛り部１１Ｃも、操作部１６Ｂの内周円周面に対して、筒部１１Ｂの軸線方向と平行関係な直線での線接触状態で摺接する凸形状に構成されている。
【００４２】
その凸形状としては、筒部１１Ｂの径方向で断面が三日月形状に突出し、筒部１１Ｂの外周円周面から最も離れる頂点位置が、筒部１１Ｂの軸線方向に平行関係で所定長さ続く形状に構成されている。
【００４３】
当該構成であれば、第一肉盛り部１６Ｄは、筒部１１Ｂの軸線方向に平行関係で線接触し、また第二肉盛り部１１Ｃは、操作部１６Ｂの軸線方向に平行関係で線接触する構造となる。
【００４４】
以上のように構成された本発明による筒体の回転嵌合構造を備えた回転型可変抵抗器は、操作体１６の操作部１６Ｂを回転操作すると、上記第一肉盛り部１６Ｄは筒部１１Ｂ外周円周面に、上記第二肉盛り部１１Ｃは操作部１６Ｂ内周円周面に、各々摺接しつつ操作体１６がケース１１に対して相対的に回転移動する。
【００４５】
そして、その回転移動に伴い操作体１６下方のフランジ部１６Ｃに固着された摺動子１７は、上記抵抗体１２上面の抵抗皮膜１３と導電部１４との上を弾接摺動し、回転操作位置に応じた抵抗値を端子１５から取り出すことによって、搭載された機器の電気的な制御が行えるものとなっている。
【００４６】
このように本実施の形態によれば、操作体１６の操作部１６Ｂとケース１１の筒部１１Ｂとの嵌合部分において、筒体の両者間に所定の僅かな隙間を配し、上記第一肉盛り部１６Ｄおよび第二肉盛り部１１Ｃのみが、対向する嵌合面である筒部１１Ｂの外周円周面および操作部１６Ｂの内周円周面と線接触しながら摺接する構成としてあるため、嵌合面の成形収縮で生じる微細な径寸法の変化の影響が低減化でき、回転ムラやガタツキなどの感じ難い回転感触の良好なものとなる。
【００４７】
また、上記第一肉盛り部１６Ｄおよび第二肉盛り部１１Ｃを、互いに軸線方向に対し上下に位置を離し、かつ各々同一円周上で等角度の六箇所ずつ配設してあるため、ガタツキの発生は極力少なくなる。
【００４８】
なお、上記のように回転方向に対し直交する直線で嵌合面と摺接させる構造とすると、回転時における当該摺接部分からの影響度合いが低減され、安定した回転状態のものが容易に実現でき、また、その摺接部分が点接触となされたものも同様に安定した回転状態のものとなる。
【００４９】
また、絶縁樹脂製のケース１１や操作体１６を形成する成形金型においては、樹脂成形後の収縮により発生する嵌合部分の寸法変化に応じてケース１１側の成形金型あるいは操作体１６の成形金型の肉盛り部相当部分のみを修正すれば良く、筒状の嵌合面となる広い面の修正は必要ないので、成形金型のメンテナンス性も良くなる。
【００５０】
なお、本実施の形態によるものでは、第一肉盛り部１６Ｄを操作体１６の操作部１６Ｂの上方位置に設け、第二肉盛り部１１Ｃをケース１１の筒部１１Ｂの下方位置に設けたものを説明したが、逆に第一肉盛り部を操作部の下方位置に設け、第二肉盛り部を筒部の上方位置に設けても良い。
【００５１】
また、各肉盛り部の設定位置としては、軸線方向に対し上下に離した位置に配するほど回転状態などは安定化する。
【００５２】
さらに、第一肉盛り部１６Ｄ、第二肉盛り部１１Ｃの各々は、少なくとも各々三箇所に均等角度位置で配しておけば、三点での支持状態にできるので回転状態などが安定したものにでき、第一肉盛り部１６Ｄと第二肉盛り部１１Ｃは、必ずしも同数の配置数でなくても良い。
【００５３】
（実施の形態２）
実施の形態２を用いて、本発明の特に請求項４〜５記載の発明について説明する。
【００５４】
なお、実施の形態１の構成と同一構成の部分には同一符号を付して、詳細な説明を省略する。
【００５５】
図４は本発明の第２の実施の形態による筒体間の回転嵌合構造を備えた回転型可変抵抗器の断面図、図５は同要部である嵌合部分の部分断面図である。
【００５６】
図４において、２１は円形の中央孔２１Ａを有し、上面が凹部となった略円環状の絶縁樹脂製のケースで、上記凹部内には抵抗体１２が収納されている。
【００５７】
そして、上記ケース２１の中央孔２１Ａを囲む壁が上方に突出した第一筒体としての筒部２１Ｂとなっている。
【００５８】
一方、２２は、上方が円筒状の第二筒体としての操作部２２Ｂとなった操作体で、円形の中央孔２２Ａを有すると共に、上方にフランジ部２２Ｃを備えている。
【００５９】
この操作体２２は、中央孔２２Ａ内に上記ケース２１の筒部２１Ｂを挿通させるようにしてケース２１に回転可能に組み合わされている。
【００６０】
そして、上記組み合わせ状態で、フランジ部２２Ｃはケース２１の凹部内に収容され、フランジ部２２Ｃ下面に配された摺動子１７は、抵抗体１２の抵抗皮膜１３と導電部１４上に弾接している。
【００６１】
なお、図４については、抵抗皮膜１３と導電部１４の図示を省略している。
【００６２】
そして、上記ケース２１の凹部上面は、カバー１８で覆われ、このカバー１８の中央孔１８Ａからは、同心に配された上記操作部２２Ｂと筒部２１Ｂとが上方に突出している。
【００６３】
以上の構成部分は、実施の形態１の場合のものと同じであるが、本実施の形態によるものは、筒体間の回転嵌合構造となる上記操作体２２の操作部２２Ｂの内周円周面と上記ケース２１の筒部２１Ｂの外周円周面との嵌合部分の構成が実施の形態１のものとは異なっている。
【００６４】
つまり、図５にも示すように、僅かな所定隙間が設けられて対向しているケース２１の筒部２１Ｂの外周円周面と操作体２２の操作部２２Ｂの内周円周面において、筒部２１Ｂの外周円周面のみに、第一および第二肉盛り部２１Ｃおよび２１Ｄが設けられ、操作部２２Ｂの内周円周面には肉盛り部を配していない構成となっている。
【００６５】
その第一肉盛り部２１Ｃは、ケース２１の筒部２１Ｂの上方端部に等角度間隔の三箇所の位置で、また第二肉盛り部２１Ｄは、筒部２１Ｂの下方端部に等角度間隔の三箇所の位置で配され、各々対向している操作体２２の操作部２２Ｂの内周円周面に内接している。
【００６６】
なお、第一肉盛り部２１Ｃおよび第二肉盛り部２１Ｄの個々の外形形状は、上記に図３を用いて説明した第二肉盛り部１１Ｃと同一形状のものであり、筒部２１Ｂの径方向で断面が三日月形状に突出し、筒部２１Ｂの外周円周面から最も離れる頂点位置が、筒部２１Ｂの軸線方向に平行関係で所定長さ続く形状のもので形成されている。
【００６７】
そして、これら第一肉盛り部２１Ｃおよび第二肉盛り部２１Ｄは、筒部２１Ｂを上面視した際、第一肉盛り部２１Ｃと第二肉盛り部２１Ｄとが重ならない角度位置で各々配されている。
【００６８】
上記構成とされた本実施の形態による筒体間の回転嵌合構造を備えた回転型可変抵抗器は、操作体２２の操作部２２Ｂを回転操作すると、円筒状の操作部２２Ｂの内周円周面に対し、上記筒部２１Ｂに設けられた第一肉盛り部２１Ｃと第二肉盛り部２１Ｄの各頂上部が摺接して滑らかに回転するものである。
【００６９】
そして、本実施の形態によるものも、操作体２２の操作部２２Ｂとケース２１の筒部２１Ｂとの間において、上記筒部２１Ｂに設けられた第一肉盛り部２１Ｃと第二肉盛り部２１Ｄのみが操作部２２Ｂの内周円周面に摺接して回転するものであるため、絶縁樹脂の成形後の収縮による微細な寸法変化を吸収して、回転ムラなどを感じ難い回転感触の良好なものとなる。
【００７０】
そして、第一肉盛り部２１Ｃおよび第二肉盛り部２１Ｄを、嵌合部分の一方のケース２１の筒部２１Ｂのみに設けた構成であるので、樹脂成形後の収縮により嵌合部分である筒部２１Ｂおよび操作部２２Ｂに発生した寸法変化に対しても、ケース２１側のみの成形金型の当該肉盛り部２１Ｃ、２１Ｄ相当部分だけを修正すれば良く、そのメンテナンス性にも優れたものとなる。
【００７１】
なお、第一肉盛り部２１Ｃおよび第二肉盛り部２１Ｄを、三箇所以上同一円周上に配置したり、各々を点接触状態で摺接させる構成などとしてもよいことは実施の形態１の場合と同じである。
【００７２】
更に、上記に説明したように、上方の第一肉盛り部２１Ｃと下方の第二肉盛り部２１Ｄとを、上面視で重ならない角度位置に配置してあるものは、成形金型の構造としても、当該筒体における上下方向で二分割される簡素な二分割構造の成形金型で形成できるため、コスト性にも優れたものとなる。
【００７３】
なお、上記本実施の形態では、第一肉盛り部２１Ｃと第二肉盛り部２１Ｄをケース２１の筒部２１Ｂのみに設けたものを説明したが、逆に操作体の操作部の嵌合部分の内周円周面のみに設けたものとしても良い。
【産業上の利用可能性】
【００７４】
本発明による筒体間の回転嵌合構造は、外側に位置する筒体と内側に位置する筒体どうしが相対的に回転する際、回転ムラなどを感じ難い回転感触の良好なものとすることができる上、成形後の樹脂収縮により嵌合部分に発生する寸法変化に対する成形金型の修正が行いやすいものにできるという効果を有し、各種電子機器等の回転式操作部に用いられる場合等に有用である。
【図面の簡単な説明】
【００７５】
【図１】本発明の第１の実施の形態による筒体間の回転嵌合構造を備えた回転型可変抵抗器の断面図
【図２】同分解斜視図
【図３】同要部である嵌合部分の部分断面図
【図４】本発明の第２の実施の形態による筒体間の回転嵌合構造を備えた回転型可変抵抗器の断面図
【図５】同要部である嵌合部分の部分断面図
【図６】従来の筒体間の回転嵌合構造を備えた回転型可変抵抗器の外観図
【図７】同断面図
【符号の説明】
【００７６】
１１，２１  ケース
１１Ａ，１６Ａ，１８Ａ，２１Ａ，２２Ａ  中央孔
１１Ｂ，２１Ｂ  筒部
１１Ｃ，２１Ｄ  第二肉盛り部
１２  抵抗体
１３  抵抗皮膜
１４  導電部
１５  端子
１６，２２  操作体
１６Ｂ，２２Ｂ  操作部
１６Ｃ，２２Ｃ  フランジ部
１６Ｄ，２１Ｃ  第一肉盛り部
１７  摺動子
１８  カバー
【図１】
2005093583.tif 000003
【図２】
2005093583.tif 000004
【図３】
2005093583.tif 000005
【図４】
2005093583.tif 000006
【図５】
2005093583.tif 000007
【図６】
2005093583.tif 000008
【図７】
2005093583.tif 000009